(57)【特許請求の範囲】
【請求項１】
撮影装置からの画像情報を第１フレームから最終フレームまでの複数のフレームを備えた複数のフレーム群の情報に変換する画像情報変換装置と、
前記画像情報変換装置により変換されたフレーム群のうち、隣接した第１フレーム群と第２フレーム群とに対して前記第１フレーム群のいずれかのフレームの情報と前記第２フレーム群のいずれかのフレームの情報との受信時間の差に基づいて、前記撮影装置の解像度を制御する解像度制御装置と、
を備えた撮影装置の解像度制御システム。
【請求項２】
前記解像度制御装置は、前記画像情報変換装置により変換されたフレーム群のうち、隣接した第１フレーム群と第２フレーム群とに対して前記第１フレーム群の最終フレームの情報と前記第２フレーム群の第１フレームの情報との受信時間の差に基づいて、前記撮影装置の解像度を制御する請求項１に記載の撮影装置の解像度制御システム。
【請求項３】
前記解像度制御装置は、前記画像情報変換装置により変換されたフレーム群のうち、隣接した第１フレーム群と第２フレーム群とに対して前記第１フレーム群の第１フレームの情報と前記第２フレーム群の第１フレームの情報との受信時間の差に基づいて、前記撮影装置の解像度を制御する請求項１に記載の撮影装置の解像度制御システム。
を備えた撮影装置の解像度制御システム。
【請求項４】
撮影装置からの画像情報を第１フレームから最終フレームまでの複数のフレームを備えたフレーム群の情報に変換する画像情報変換装置と、
前記画像情報変換装置により変換されたフレーム群の第１フレームの情報と最終フレームの情報との受信時間の差に基づいて、前記撮影装置の解像度を制御する解像度制御装置と、
を備えた撮影装置の解像度制御システム。
【請求項５】
前記画像情報変換装置は、前記撮影装置に設けられた請求項１から請求項４のいずれか１項に記載の撮影装置の解像度制御システム。
【請求項６】
前記解像度制御装置は、前記受信時間の差に対する統計的な評価結果に基づいて、前記撮影装置の解像度を制御する請求項１から請求項５のいずれか１項に記載の撮影装置の解像度制御システム。
【請求項７】
前記解像度制御装置は、前記画像情報変換装置からのフレーム群の情報に基づいて画像を表示する表示装置に設けられた請求項１から請求項６のいずれか１項に記載の撮影装置の解像度制御システム。
【発明の詳細な説明】
【技術分野】
【０００１】
この発明は、撮影装置の解像度制御システムに関する。
【背景技術】
【０００２】
例えば、特許文献１は、画像情報の伝送システムを開示する。当該伝送システムによれば、ネットワークの負荷状況が変化しても、画像を滑らかに表示することができる。
【先行技術文献】
【特許文献】
【０００３】
【特許文献１】日本特開２００８−２１９４７９号公報
【発明の概要】
【発明が解決しようとする課題】
【０００４】
しかしながら、特許文献１に記載の伝送システムにおいては、複数の画像情報の各々に対して、伝送遅延時間を解析する必要がある。このため、伝送遅延時間を考慮して撮影装置の解像度を制御する場合に演算処理の量が多くなる。【０００５】
この発明は、上述の課題を解決するためになされた。この発明の目的は、撮影装置の解像度を制御する際の演算処理の量を減らすことができる撮影装置の解像度制御システムを提供することである。
【課題を解決するための手段】
【０００６】
この発明に係る撮影装置の解像度制御システムは、撮影装置からの画像情報を第１フレームから最終フレームまでの複数のフレームを備えた複数のフレーム群の情報に変換する画像情報変換装置と、前記画像情報変換装置により変換されたフレーム群のうち、隣接した第１フレーム群と第２フレーム群とに対して前記第１フレーム群のいずれかのフレームの情報と前記第２フレーム群のいずれかのフレームの情報との受信時間の差に基づいて、前記撮影装置の解像度を制御する解像度制御装置と、を備えた。【０００７】
この発明に係る撮影装置の解像度制御システムは、撮影装置からの画像情報を第１フレームから最終フレームまでの複数のフレームを備えたフレーム群の情報に変換する画像情報変換装置と、前記画像情報変換装置により変換されたフレーム群の第１フレームの情報と最終フレームの情報との受信時間の差に基づいて、前記撮影装置の解像度を制御する解像度制御装置と、を備えた。
【発明の効果】
【０００８】
これらの発明によれば、一部のフレームの受信時間の差に基づいて、撮影装置の解像度が制御される。このため、撮影装置の解像度を制御する際の演算処理の量を減らすことができる。
【図面の簡単な説明】
【０００９】
【図１】この発明の実施の形態１における撮影装置の解像度制御システムが適用されるシステムの構成図である。
【図２】この発明の実施の形態１における撮影装置の解像度制御システムの要部となる画像情報変換装置の一例のハードウェア構成図である。
【図３】この発明の実施の形態１における撮影装置の解像度制御システムが適用される撮影装置からの画像情報の送信状態の概要を説明するための模式図である。
【図４】この発明の実施の形態１における撮影装置の解像度制御システムの要部となる画像情報変換装置からの画像情報の送信状態の詳細を説明するための模式図である。
【図５】この発明の実施の形態１における撮影装置の解像度制御システムの解像度制御装置において受信される画像情報の模式図である。
【図６】この発明の実施の形態１における撮影装置の解像度制御システムの解像度制御装置において受信される画像情報の模式図である。
【図７】この発明の実施の形態１における撮影装置の解像度制御システムの解像度制御装置において受信される画像情報の模式図である。
【図８】この発明の実施の形態１における撮影装置の解像度制御システムにおいて受信されるフレームの受信時間の差を示す図である。
【図９】この発明の実施の形態１における撮影装置の解像度制御システムの動作の第１例を説明するためのフローチャートである。
【図１０】この発明の実施の形態１における撮影装置の解像度制御システムの動作の第１例を説明するためのフローチャートである。
【図１１】この発明の実施の形態１における撮影装置の解像度制御システムの要部となる画像情報変換装置の変形例のハードウェア構成図である。
【発明を実施するための形態】
【００１０】
この発明を実施するための形態について添付の図面に従って説明する。なお、各図中、同一または相当する部分には同一の符号が付される。当該部分の重複説明は適宜に簡略化または省略する。
【００１１】
実施の形態１．
図１はこの発明の実施の形態１における撮影装置の解像度制御システムが適用されるシステムの構成図である。
【００１２】
図１に示されるように、撮影装置１は、撮影部１ａと制御部１ｂとを備える。撮影部１ａは、任意に設定されたパラメータに応じて被写体の画像を撮影し得るように設けられる。制御部１ｂは、任意に設定されたパラメータに応じて撮影部１ａによる撮影の間隔および解像度を制御し得るように設けられる。
【００１３】
画像情報変換装置２は、撮影装置１に対応して設けられる。例えば、画像情報変換装置２は、撮影装置１に設けられる。画像情報変換装置２は、撮影装置１に隣接して設けられることもある。画像情報変換装置２は、任意に設定されたパラメータに応じて撮影装置１の撮影部１ａからの画像情報を送信し得るように設けられる。
【００１４】
表示装置３は、受信部３ａと表示部３ｂとを備える。受信部３ａは、画像情報変換装置２からの画像情報を受信し得るように設けられる。表示部３ｂは、任意に設定されたパラメータに応じて受信部３ａにより受信された画像情報に基づいて画像を表示し得るように設けられる。
【００１５】
解像度制御装置４は、表示装置３に対応して設けられる。例えば、解像度制御装置４は、表示装置３に設けられる。解像度制御装置４は、表示装置３に隣接して設けられることもある。解像度制御装置４は、測定部４ａと制御部４ｂとを備える。測定部４ａは、任意に設定されたパラメータに応じて撮影装置１と表示装置３との間の通信状況に関する値を測定し得るように設けられる。制御部４ｂは、任意に設定されたパラメータに応じて表示部３ｂによる表示の間隔および解像度を制御し得るように設けられる。制御部４ｂは、測定部４ａの測定結果に基づいて解像度の制御に関する変更命令情報を撮影装置１の制御部１ｂに送信する。
【００１６】
図１において、画像情報変換装置２と解像度制御装置４とは、撮影装置１の解像度を制御する解像度制御システムとして機能する。
【００１７】
例えば、画像情報変換装置２は、撮影装置１からの画像情報を第１フレーム５ａから最終フレームまでの複数のフレームをそれぞれ備えた複数のフレーム群の情報に変換する。
【００１８】
例えば、解像度制御装置４は、画像情報変換装置２により変換されたフレーム群のうち、隣接して送信された第１フレーム群と第２フレーム群とに対して第１フレーム群の最終フレームの情報と第２フレーム群の第１フレームの情報との受信時間の差に基づいて、撮影装置１の解像度を制御する。
【００１９】
例えば、解像度制御装置４は、画像情報変換装置２により変換されたフレーム群のうち、隣接して送信された第１フレーム群と第２フレーム群とに対して第１フレーム群の第１フレームの情報と第２フレーム群の第１フレームの情報との受信時間の差に基づいて、撮影装置１の解像度を制御する。
【００２０】
例えば、解像度制御装置４は、画像情報変換装置２により変換されたフレーム群の第１フレームの情報と最終フレームの情報との受信時間の差に基づいて、撮影装置１の解像度を制御する。
【００２１】
次に、図２を用いて、画像情報変換装置２の一例を説明する。
図２はこの発明の実施の形態１における撮影装置の解像度制御システムの要部となる画像情報変換装置の一例のハードウェア構成図である。
【００２２】
図２に示されるように、画像情報変換装置２は、ＬＡＮアダプタ２ａとプロセッサ２ｂとローカルディスク２ｃとメモリ２ｄとを備える。
【００２３】
ＬＡＮアダプタ２ａは、画像情報変換装置２と外部の装置との接続における入出力部として機能する。プロセッサ２ｂは、画像情報変換装置２の機能を実現する。ローカルディスク２ｃは、画像情報変換装置２の機能を規定するプログラムの情報を記憶する。メモリ２ｄは、画像情報変換装置２の現在の動作を規定する情報を一時的に記憶する。
【００２４】
図示されないが、解像度制御装置４も、画像情報変換装置２の構成と同様の構成で実現される。
【００２５】
次に、図３を用いて、撮影装置１からの画像情報の送信状態の概要を説明する。
図３はこの発明の実施の形態１における撮影装置の解像度制御システムが適用される撮影装置からの画像情報の送信状態の概要を説明するための模式図である。
【００２６】
図３に示されるように、撮影装置１は、一定間隔で画像情報を送信する。
【００２７】
次に、図４を用いて、画像情報変換装置２からの画像情報の送信状態の詳細を説明する。
図４はこの発明の実施の形態１における撮影装置の解像度制御システムの要部となる画像情報変換装置からの画像情報の送信状態の詳細を説明するための模式図である。
【００２８】
図４においては、画像情報は、第１フレーム５ａと第２フレーム５ｂと第３フレーム５ｃに分割されている。画像情報が分割される際、フレーム数は、数十になったり数百になったりすることもある。
【００２９】
図４において、第１フレーム５ａは、第１コード情報を備える。第１コード情報は、第１フレーム５ａのデータ部の先端と終端とに埋め込まれる。第２フレーム５ｂは、第２コード情報を備える。第２コード情報は、第２フレーム５ｂのデータ部の先端と終端とに埋め込まれる。第３フレーム５ｃは、第３コード情報を備える。第３コード情報は、第３フレーム５ｃのデータ部の先端と終端とに埋め込まれる。
【００３０】
第１コード情報は、第１フレーム５ａが１番目のフレームであることを示す。第２コード情報は、第２フレーム５ｂが２番目のフレームであることを示す。第３コード情報は、第３フレーム５ｃが３番目のフレームであることを示す。
【００３１】
第１フレーム５ａと第２フレーム５ｂと第３フレーム５ｃとが順序を入れ替えて表示装置３に到着しても、表示装置３は、第１コード情報と第２コード情報と第３コード情報とに基づいて第１フレーム５ａと第２フレーム５ｂと第３フレーム５ｃとの正しい順番を把握する。表示装置３は、第１フレーム５ａと第２フレーム５ｂと第３フレーム５ｃとに基づいて正常に画像を表示する。
【００３２】
次に、図５を用いて、画像情報の伝送における遅延の解析の第１例を説明する。
図５はこの発明の実施の形態１における撮影装置の解像度制御システムの解像度制御装置において受信される画像情報の模式図である。
【００３３】
図５において、解像度制御装置４は、隣接した第１フレーム群と第２フレーム群とに対して第１フレーム群の第３フレーム５ｃの情報と第２フレーム群の第１フレーム５ａの情報との受信時間の差を測定する。
【００３４】
第１フレーム群の第３フレーム５ｃの情報と第２フレーム群の第１フレーム５ａの情報との受信時間の差が一定以内に収まっている場合、解像度制御装置４は、画像情報の伝送において遅延が発生していないと判定する。
【００３５】
第１フレーム群の第３フレーム５ｃの情報と第２フレーム群の第１フレーム５ａの情報との受信時間の差が一定以内に収まっていない場合、解像度制御装置４は、画像情報の伝送において遅延が発生していると判定する。
【００３６】
次に、図６を用いて、画像情報の伝送における遅延の解析の第２例を説明する。
図６はこの発明の実施の形態１における撮影装置の解像度制御システムの解像度制御装置において受信される画像情報の模式図である。
【００３７】
図６において、解像度制御装置４は、隣接した第１フレーム群と第２フレーム群とに対して第１フレーム群の第１フレーム５ａの情報と第２フレーム群の第１フレーム５ａとの受信時間の差を測定する。
【００３８】
第１フレーム群の第１フレーム５ａと第２フレーム群の第１フレーム５ａとの受信時間の差が一定以内に収まっている場合、解像度制御装置４は、画像情報の伝送において遅延が発生していないと判定する。
【００３９】
第１フレーム群の第１フレーム５ａと第２フレーム群の第１フレーム５ａとの受信時間の差が一定以内に収まっていない場合、解像度制御装置４は、画像情報の伝送において遅延が発生していると判定する。
【００４０】
次に、図７を用いて、画像情報の伝送における遅延の解析の第３例を説明する。
図７はこの発明の実施の形態１における撮影装置の解像度制御システムの解像度制御装置において受信される画像情報の模式図である。
【００４１】
図７において、解像度制御装置４は、フレーム群の第１フレーム５ａと第３フレーム５ｃとの受信時間の差を測定する。
【００４２】
フレーム群の第１フレーム５ａと第３フレーム５ｃとの受信時間の差が一定以内に収まっている場合、解像度制御装置４は、画像情報の伝送において遅延が発生していないと判定する。
【００４３】
フレーム群の第１フレーム５ａと第３フレーム５ｃとの受信時間の差が一定以内に収まっていない場合、解像度制御装置４は、画像情報の伝送において遅延が発生していると判定する。
【００４４】
次に、図８を用いて、画像情報の伝送における遅延の解析の変形例を説明する。
図８はこの発明の実施の形態１における撮影装置の解像度制御システムにおいて受信されるフレームの受信時間の差を示す図である。
【００４５】
例えば、１秒に５枚の画像が表示装置３に表示される場合、１つのフレームに対しては、０．２秒が割り当てられる。これに対し、隣接したフレームの情報の受信時間の差の測定結果は、図８に示される分布となる。例えば、隣接したフレームの情報の受信時間の差の測定結果の分布は、正規分布となる。
【００４６】
この場合、「０．２５」の結果だけで判定をすると、１秒に４枚の画像しか表示装置３に表示されないことになる。このため、表示装置３において正常な表示がなされないと判定され得る。
【００４７】
しかしながら、図８において、受信時間の差の母集団を大きくした場合、表示装置３において正常な表示がなされ得る。
【００４８】
このため、解像度制御装置４は、対象としたフレームの受信時間の差の計測を複数回行った上で画像情報の伝送において遅延が発生しているか否かを判定する。例えば、解像度制御装置４は、対象としたフレームの受信時間の差に対する統計的な評価結果に基づいて画像情報の伝送において遅延が発生しているか否かを判定する。この際、信頼度係数が導入される。この場合、受信時間の差の測定結果において、上位数パーセントの測定結果と下位数パーセントの測定結果とは切り捨てられる。信頼度係数は、運用するネットワークに応じて適宜変更される。
【００４９】
次に、図９を用いて、解像度制御システムの動作の第１例を説明する。
図９はこの発明の実施の形態１における撮影装置の解像度制御システムの動作の第１例を説明するためのフローチャートである。
【００５０】
ステップＳ１とステップＳ２とは、撮影装置１の側において行われる動作である。
【００５１】
ステップＳ１では、撮影装置１は、画像を撮影する。その後、ステップＳ２の動作が行われる。ステップＳ２では、画像情報変換装置２は、画像情報を表示装置３の側に送信する。
【００５２】
ステップＳ３からステップＳ８は、表示装置３の側において行われる動作である。
【００５３】
ステップＳ３では、表示装置３は、画像情報変換装置２からの画像情報を受信する。その後、ステップＳ４の動作が行われる。ステップＳ４では、解像度制御装置４は、画像情報を解析する。その後、ステップＳ５の動作が行われる。
【００５４】
ステップＳ５では、解像度制御装置４は、現時刻が遅延解析するタイミングであるか否かを判定する。ステップＳ５で現時刻が遅延解析するタイミングでない場合は、ステップＳ１の動作が行われる。ステップＳ５で現時刻が遅延解析するタイミングである場合、ステップＳ６の動作が行われる。
【００５５】
ステップＳ６では、解像度制御装置４は、画像情報の伝送における遅延を解析する。その後、ステップＳ７の動作が行われる。ステップＳ７では、解像度制御装置４は、画像情報の伝送において遅延が発生しているか否かを判定する。ステップＳ７で画像情報の伝送において遅延が発生していない場合、ステップＳ１の処理が行われる。ステップＳ６で画像情報の伝送に対して遅延が発生している場合、ステップＳ８の処理が行われる。
【００５６】
ステップＳ８では、解像度制御装置４は、解像度が低くなるように指示する変更命令情報を撮影装置１の側に送信する。
【００５７】
ステップＳ９とステップＳ１０とは、撮影装置１の側において行われる動作である。
【００５８】
ステップＳ９では、撮影装置１は、解像度制御装置４からの変更命令情報を受信する。その後、ステップＳ１０の動作が行われる。ステップＳ１０では、撮影装置１は、当該変更命令情報に基づいて解像度を変更する。
【００５９】
次に、図１０を用いて、解像度制御システムの動作の第２例を説明する。
図１０はこの発明の実施の形態１における撮影装置の解像度制御システムの動作の第１例を説明するためのフローチャートである。
【００６０】
ステップＳ１１とステップＳ１２とは、撮影装置１の側において行われる動作である。
【００６１】
ステップＳ１１では、撮影装置１は、画像を撮影する。その後、ステップＳ１２の動作が行われる。ステップＳ１２では、画像情報変換装置２は、画像情報を表示装置３の側に送信する。
【００６２】
ステップＳ１３からステップＳ１９は、表示装置３の側において行われる動作である。
【００６３】
ステップＳ１３では、表示装置３は、画像情報変換装置２からの画像情報を受信する。その後、ステップＳ１４の動作が行われる。ステップＳ１４では、解像度制御装置４は、画像情報を解析する。その後、ステップＳ１５の動作が行われる。
【００６４】
ステップＳ１５では、解像度制御装置４は、現時刻が遅延解析するタイミングか否かを判定する。ステップＳ１５で現時刻が遅延解析するタイミングでない場合は、ステップＳ１１の動作が行われる。ステップＳ１５で現時刻が遅延解析するタイミングである場合、ステップＳ１６の動作が行われる。
【００６５】
ステップＳ１６では、解像度制御装置４は、画像情報の伝送における遅延を解析する。その後、ステップＳ１７の動作が行われる。ステップＳ１７では、解像度制御装置４は、表示装置３の側のプロセッサの使用率を解析する。その後、ステップＳ１８の動作が行われる。
【００６６】
ステップＳ１８では、解像度制御装置４は、表示装置３の側のプロセッサの使用率が閾値以下であるか否かを判定する。ステップＳ１８で表示装置３の側のプロセッサの使用率が閾値以下でない場合、ステップＳ１１の処理が行われる。ステップＳ１８で表示装置３の側のプロセッサの使用率が閾値以下である場合、ステップＳ１９の処理が行われる。
【００６７】
ステップＳ１９では、解像度制御装置４は、解像度が高くなるように指示する変更命令情報を撮影装置１の側に送信する。
【００６８】
ステップＳ２０とステップＳ２１とは、撮影装置１の側において行われる動作である。
【００６９】
ステップＳ２０では、撮影装置１は、解像度制御装置４からの変更命令情報を受信する。その後、ステップＳ２１の動作が行われる。ステップＳ２１では、撮影装置１は、当該変更命令情報に基づいて解像度を変更する。
【００７０】
以上で説明した実施の形態１によれば、一部のフレームの受信時間の差に基づいて、撮影装置１の解像度が制御される。このため、撮影装置１の解像度を制御する際の演算処理の量を大幅に減らすことができる。
【００７１】
また、画像情報変換装置２は、撮影装置１に設けられる。このため、特別な装置を用いることなく、撮影装置１の解像度を制御する際の演算処理の量を減らすことができる。
【００７２】
また、解像度制御装置４は、フレームの受信時間の差に対する統計的な評価結果に基づいて撮影装置１の解像度を制御する。このため、ネットワークの異常を起因としてフレームの受信時間の差が長くなったり短くなったりしても、撮影装置１の解像度を適切に制御することができる。
【００７３】
また、解像度制御装置４は、表示装置３に設けられる。このため、特別な装置を用いることなく、撮影装置１の解像度を制御する際の演算処理の量を減らすことができる。
【００７４】
次に、図１１を用いて、画像情報変換装置２の変形例を説明する。
図１１はこの発明の実施の形態１における撮影装置の解像度制御システムの要部となる画像情報変換装置の変形例のハードウェア構成図である。
【００７５】
画像情報変換装置２の各機能は、処理回路により実現し得る。例えば、処理回路は、少なくとも１つのプロセッサ６ａと少なくとも１つのメモリ６ｂとを備える。例えば、処理回路は、少なくとも１つの専用のハードウェア７を備える。
【００７６】
処理回路が少なくとも１つのプロセッサ６ａと少なくとも１つのメモリ６ｂとを備える場合、画像情報変換装置２の各機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ６ｂに格納される。少なくとも１つのプロセッサ６ａは、少なくとも１つのメモリ６ｂに記憶されたプログラムを読み出して実行することにより、画像情報変換装置２の各機能を実現する。少なくとも１つのプロセッサ６ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、少なくとも１つのメモリ６ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【００７７】
処理回路が少なくとも１つの専用のハードウェア７を備える場合、処理回路は、例えば、単一回路、複合回路、プログラム化したプロセッサ２ｂ、並列プログラム化したプロセッサ２ｂ、ＡＳＩＣ、ＦＰＧＡ、またはこれらの組み合わせで実現される。例えば、画像情報変換装置２の各機能は、それぞれ処理回路で実現される。例えば、画像情報変換装置２の各機能は、まとめて処理回路で実現される。
【００７８】
画像情報変換装置２の各機能について、一部を専用のハードウェア７で実現し、他部をソフトウェアまたはファームウェアで実現してもよい。例えば、画像情報を変換する機能については専用のハードウェア７としての処理回路で実現し、画像情報を変換する機能以外の機能については少なくとも１つのプロセッサ６ａが少なくとも１つのメモリ６ｂに格納されたプログラムを読み出して実行することにより実現してもよい。
【００７９】
このように、処理回路は、ハードウェア７、ソフトウェア、ファームウェア、またはこれらの組み合わせで画像情報変換装置２の各機能を実現する。
【００８０】
図示されないが、解像度制御装置４も、画像情報変換装置２の処理回路と同様の処理回路で実現される。
【産業上の利用可能性】
【００８１】
以上のように、この発明に係る撮影装置の解像度制御システムは、撮影装置の解像度を制御する際の演算処理の量を減らすシステムに利用できる。
【符号の説明】
【００８２】
１  撮影装置、  １ａ  撮影部、  １ｂ  制御部、  ２  画像情報変換装置、  ２ａ  ＬＡＮアダプタ、  ２ｂ  プロセッサ、  ２ｃ  ローカルディスク、  ２ｄ  メモリ、  ３  表示装置、  ３ａ  受信部、  ３ｂ  表示部、  ４  解像度制御装置、  ４ａ  測定部、  ４ｂ  制御部、  ５ａ  第１フレーム、  ５ｂ  第２フレーム、  ５ｃ  第３フレーム、  ６ａ  プロセッサ、  ６ｂ  メモリ、  ７  ハードウェア
【図１】
0006756405.tif 000002
【図２】
0006756405.tif 000003
【図３】
0006756405.tif 000004
【図４】
0006756405.tif 000005
【図５】
0006756405.tif 000006
【図６】
0006756405.tif 000007
【図７】
0006756405.tif 000008
【図８】
0006756405.tif 000009
【図９】
0006756405.tif 000010
【図１０】
0006756405.tif 000011
【図１１】
0006756405.tif 000012